(57)【要約】【課題】従来のフライスカッターでは、ブラシのせり出し量をブラシの摩耗度合いによらず一定に維持することができない問題があった。【解決手段】本発明のフライズカッターは、先端部の外周に沿って被加工物を加工する刃を備えるチップ１１が取り付けられるフライスカッターボディ１０と、ブラシ毛１５を保持するブラシ保持部１４と、フライスカッターボディ１０内において、ブラシ保持部１４がフライスカッターボディ１０の回転軸の軸線方向に移動自在に挿入されるように設けられたブラシ挿入孔１３と、ブラシ挿入孔１３のフライスカッターボディの先端部側に設けられ、ブラシ毛１５を支持するブラシ支持部１６と、フライスカッターボディ１０内に形成され、外部からブラシ挿入孔１３に流体を供給する経路となる流体供給路１２と、を有し、ブラシ保持部１４は、流体により一定の圧力で、フライスカッターボディの先端部側に向かって押し出される。【選択図】図１
2018111148.tif 000002
【特許請求の範囲】
【請求項１】
先端部の外周に沿って被加工物を加工する刃を備えるチップが取り付けられるフライスカッターボディと、
ブラシ毛を保持するブラシ保持部と、
前記フライスカッターボディ内において、前記ブラシ保持部が前記フライスカッターボディの回転軸線方向に移動自在に挿入されるように設けられたブラシ挿入孔と、
前記ブラシ挿入孔の前記フライスカッターボディの前記先端部側に設けられ、前記ブラシ毛を支持するブラシ支持部と、
前記フライスカッターボディ内に形成され、外部から前記ブラシ挿入孔に流体を供給する経路となる流体供給路と、を有し、
前記ブラシ保持部は、前記流体により一定の圧力で、前記フライスカッターボディの前記先端部側に向かって押し出されるフライスカッター。
【発明の詳細な説明】
【技術分野】
【０００１】
本発明はフライスカッターに関し、例えば、加工によって生じるバリを除去するバリ取りブラシを有するフライスカッターに関する。
【背景技術】
【０００２】
フライスカッターの一例が特許文献１に開示されている。特許文献１に開示されているフライスカッターは、カッター本体の先端部に、その外周部に刃体が設けられ、その回転軌跡の内側に取付軸が設けられ、ブラシは、取付軸にカッター本体の軸線方向に移動自在に嵌着され、ブラシとカッター本体との間には、ブラシを外方に付勢するスプリングが介装され、取付軸にはブラシの抜け出しを阻止するための押さえプレートが固定され、押さえプレートには、ブラシ突出量調整螺子が前記軸線と平行な軸線をもってその先端部が支持部材に当接して螺着され、ピンがその先端部が支持部材に支持部材を取付軸に対して回動不可能とするよう係止されて固定されている。
【先行技術文献】
【特許文献】
【０００３】
【特許文献１】特開平０８−１０８３１１号公報
【発明の概要】
【発明が解決しようとする課題】
【０００４】
特許文献１に記載のフライスカッターでは、ブラシの押し出し圧をスプリングによって調整する。しかしながら、スプリングでブラシを押し出した場合、ブラシの摩耗によりスプリングが伸びる。スプリングは、伸びた状態と縮んだ状態では反発力が異なる。そのため、特許文献１に記載のフライスカッターでは、ブラシの摩耗度合いによりブラシ先端の加工面への押し当て量が小さくなり、バリを十分に除去できなくなる問題が生じる。
【０００５】
本発明は、上記事情に鑑みてなされたものであり、バリ取りを行うために設けられるブラシの押し出し量をブラシの摩耗度合いによらず一定に保つこと目的とするものである。
【課題を解決するための手段】
【０００６】
本発明の一態様にかかるフライスカッターは、先端部の外周に沿って被加工物を加工する刃を備えるチップが取り付けられるフライスカッターボディと、ブラシ毛を保持するブラシ保持部と、前記フライスカッターボディ内において、前記ブラシ保持部が前記フライスカッターボディの回転軸線方向に移動自在に挿入されるように設けられたブラシ挿入孔と、前記ブラシ挿入孔の前記フライスカッターボディの前記先端部側に設けられ、前記ブラシを支持するブラシ支持部と、前記フライスカッターボディ内に形成され、外部から前記ブラシ挿入孔に流体を供給する経路となる流体供給路と、を有し、前記ブラシ保持部は、前記流体により一定の圧力で、前記フライスカッターボディの前記先端部側に向かって押し出される。
【０００７】
上記本発明の一態様によれば、フライスカッターボディ内のブラシ保持部とブラシ毛は、一定の圧力で加工面に押し付けられるように押し出されることができる。
【発明の効果】
【０００８】
本発明にかかるフライスカッターによれば、ブラシ毛の摩耗度合いによらずブラシ毛を加工面に一定の圧力で押し付けることができる。
【図面の簡単な説明】
【０００９】
【図１】実施の形態１にかかるフライスカッターの断面図である。
【発明を実施するための形態】
【００１０】
実施の形態１
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１１】
図１に実施の形態１にかかるフライスカッターの断面図を示す。なお、実施の形態１にかかるフライスカッターは、クーラント液が供給されるものとする。また、フライスカッターは、加工面に対向する先端部が円筒形状となっているものとする。そして、フライスカッターは、加工面に平行な回転方向に沿って回転させることで加工面を切削する。つまり、フライスカッターの回転軸は、加工面に対して垂直な方向となる。
【００１２】
図１に示すように、実施の形態１にかかるフライスカッターは、フライスカッターボディ１０、チップ１１、流体供給路１２、ブラシ挿入孔１３、ブラシ保持部１４、ブラシ毛１５を有する。
【００１３】
フライスカッターボディ１０は、図１の上部がフライスの工具取り付けチャックに取り付けられ、図面下側であって、加工面に対向する先端部側にチップ１１が取り付けられる。また、フライスカッターボディ１０の先端部は円筒形状となっており、外周に沿ってチップ１１が取り付けられる。チップ１１は、被加工物を加工する刃を備えるものである。
【００１４】
流体供給路１２は、フライスカッターボディ内に形成され、外部からブラシ挿入孔１３に流体（例えば、クーラント液）を供給する経路である。ブラシ挿入孔１３は、フライスカッターボディ１０内において、ブラシ保持部１４がフライスカッターボディ１０の回転軸線方向に移動自在に挿入されるように設けられる。図１に示した端面図では、ブラシ挿入孔１３にブラシ保持部１４が挿入された状態となっている。
【００１５】
ブラシ保持部１４は、ブラシ毛１５を保持する。ブラシ毛１５は、ブラシ保持部１４がブラシ挿入孔１３に挿入された状態で、フライスカッターボディ１０の先端部に向かってブラシ保持部１４から突出するように保持される。ブラシ支持部１６は、ブラシ挿入孔１３のフライスカッターボディ１０の先端部側に設けられ、ブラシ毛を支持する。
【００１６】
ここで、実施の形態１にかかるフライスカッターにおけるブラシ毛のせり出し量について説明する。図１に示すように、実施の形態１にかかるフライスカッターでは、加工面に対する長さが一定の長さとなるようにブラシ毛１５がせり出す。このせり出し量が加工面に対するブラシのかかり代となる。
【００１７】
ブラシ毛１５は、一定の弾性を有する。また、ブラシ挿入孔１３の壁面とブラシ保持部１４の側面は密着するように形成されており、流体供給路１２を介してブラシ挿入孔１３に供給されるクーラント液は、ブラシ保持部１４の上端面（例えば、フライスカッターボディ１０のチャック取付部側の面であり、図面上側の面）に一定の圧力を加えるように供給される。そのため、ブラシかかり代の長さは、ブラシ毛１５の弾性力とクーラント液の圧力（例えば、クーラント圧）とのバランスにより、一定の長さとなる。
【００１８】
また、図１では、フライスカッターボディ１０の回転軸の左側にブラシが新品の状態におけるブラシ位置を示し、フライスカッターボディ１０の回転軸の右側にブラシの摩耗が進んだ状態のブラシ位置を示した。
【００１９】
図１に示すように、実施の形態１にかかるフライスカッターは、ブラシ毛１５が摩耗してブラシ毛１５の長さが短くなった場合、クーラント圧により、ブラシ保持部１４がフライスカッターボディ１０の先端部側にせり出すため、ブラシかかり代をブラシが新品の状態と同じ長さとなる。
【００２０】
また、クーラント圧とブラシ毛１５の弾性力とのバランスは、ブラシの摩耗度合いによらず一定に保たれる。そのため、実施の形態１にかかるフライスカッターでは、ブラシの摩耗度合いによらずブラシの加工面に対する押し付け圧が一定に保たれる。
【００２１】
上記説明より、実施の形態１にかかるフライスカッターでは、ブラシの摩耗度合いに寄らず、ブラシかかり代及びブラシの押し付け圧を一定に保つことができる。これにより、実施の形態１にかかるフライスカッターでは、ブラシの摩耗度合いによらず一定のバリ取り能力を発揮することができる。また、実施の形態１にかかるフライスカッターでは、ブラシの摩耗度合いが変化しても特段の調整を行うことなくブラシのブラシかかり代及びブラシの押し付け圧を一定に保つことができる。
【００２２】
また、ブラシのかかり代が大きくなるとブラシ毛が被加工物に接触するときの摩擦力が大きくなり、フライス盤にかかる負荷が大きくなり、設備の損傷を早めることがある。しかしながら、実施の形態１にかかるフライスカッターでは、ブラシの摩耗度合いによらずブラシかかり代を一定に維持することできるため、実施の形態１にかかるフライスカッターを用いることでフライス盤に過負荷がかかることを防止して、設備の損傷を避けることができる。
【００２３】
また、ブラシ毛１５の加工面に対する押し付け圧は、加工面に対するブラシ毛１５のかかり代の大きさによっても変化する。しかしながら、実施の形態１にかかるフライスカッターでは、加工面と一定の距離となる位置であって、ブラシ挿入孔１３の先端部側に設けられ、ブラシ毛１５を支持するブラシ支持部１６を有する。つまり、ブラシ支持部１６は、フライスカッターボディ１０からブラシ毛１５のせり出し長さが一定に維持することができる。そのため、実施の形態１にかかるフライスカッターを用いることで、加工面に対するブラシの押し付け圧をブラシ毛１５の摩耗度合いによらず一定にすることができる。
【００２４】
上記説明は、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００２５】
１０  フライスカッターボディ
１１  チップ
１２  流体供給路
１３  ブラシ挿入孔
１４  ブラシ保持部
１５  ブラシ毛
１６  ブラシ支持部
【図１】
2018111148.tif 000003